(57)【要約】電気／音響トランスジューサ装置（１）を有する耳内補聴器において、この電気／音響トランスジューサ装置（１）の音出口は、自由振動状態に取付けられたダイヤフラム（１７）によって補聴器の周辺から分離される。
2004500734.tif 000002
【特許請求の範囲】
【請求項１】
電気／音響トランスジューサ装置を有する耳内補聴器であって、前記トランスジューサ装置の音出口は前記補聴器のハウジングにおける音出口開口に音響的に連絡されてなるものにおいて、前記トランスジューサ装置の音出口は、自由振動状態に取付けられたダイヤフラムにより前記補聴器の周辺から分離されてなることを特徴とする耳内補聴器。
【請求項２】
前記ダイヤフラムの少くとも自由振動部分は、単一の、好ましくはゴム状弾性を有する材料で作られ、更に好ましくは一定の、好ましくは最大０．０９ ｍｍ 、の厚みを有してなることを特徴とする請求項１記載の耳内補聴器。
【請求項３】
前記ダイヤフラムは、前記補聴器ハウジングの音出口開口の直接的領域に取付けられてなることを特徴とする請求項１又は２記載の耳内補聴器。
【請求項４】
前記トランスジューサ装置の音出口は、管状支持部材を介して前記補聴器ハウジングの音出口開口に連絡されてなることを特徴とする請求項１ないし３のいずれかに記載の耳内補聴器。
【請求項５】
前記トランスジューサ装置の音出口は、前記補聴器ハウジングの音出口開口の領域に直接取付けられてなることを特徴とする請求項１ないし３のいずれかに記載の耳内補聴器。
【請求項６】
前記補聴器ハウジングの音出口開口は、前記補聴器ハウジングの端部に溶接又は接着により接合された、好ましくはゴム状弾性材料で作られた、板状部材により形成されてなることを特徴とする請求項１ないし５のいずれかに記載の耳内補聴器。
【請求項７】
前記補聴器ハウジングの音出口開口を閉じるダイヤフラムは、前記板状部材と一体に形成され、又は前記板状部材に取付けて形成され、又は前記補聴器の少くとも一部分によって袋状に形成されてなることを特徴とする請求項６記載の耳内補聴器。
【請求項８】
前記板状部材はゴム状弾性材料で作られてなることを特徴とする請求項７記載の耳内補聴器。
【請求項９】
前記ダイヤフラムは前記補聴器ハウジングを気密に閉じてなることを特徴とする請求項１ないし７のいずれかに記載の耳内補聴器。
【請求項１０】
請求項１ないし８のいずれかに記載の耳内補聴器を製造する方法において、前記トランスジューサ装置を底部がダイヤフラムとして形成される支持ビーム板の袋状開口内に設置し、前記支持ビーム板と前記補聴器ハウジングの音出口開口との相対的動きにより、前記トランスジューサ装置を、前記補聴器ハウジングの音出口開口を形成する補聴器端部から前記補聴器ハウジング内に挿入し、前記支持ビーム板を、好ましくは溶接又は接着により、前記補聴器ハウジングに接合し、かつ、前記支持ビーム板を前記補聴器ハウジングの外形に沿って成形し、切離してなることを特徴とする耳内補聴器の製造方法。
【請求項１１】
前記ダイヤフラムを前記支持ビーム板と一体に形成し、好ましくは前記支持ビーム板をゴム状弾性材料で作成し、又は薄層部材として形成された前記ダイヤフラムを、貫通穴を有する前記支持ビーム板に張付け、接合し、これによって前記袋状開口を形成してなることを特徴とする請求項１０記載の方法。
【請求項１２】
前記補聴器ハウジングに対する前記トランスジューサ装置の組立を自動化により実施してなることを特徴とする請求項１０又は１１記載の方法。
【請求項１３】
電気／音響トランスジューサ装置を有する耳内補聴器の製造方法において、前記トランスジューサ装置を前記補聴器のハウジング内に自動化により挿入してなることを特徴とする耳内補聴器の製造方法。
【請求項１４】
前記トランスジューサ装置を、前記補聴器ハウジングの音出口を形成する開口を通して前記補聴器ハウジング内に挿入してなることを特徴とする請求項１３記載の方法。
【請求項１５】
前記トランスジューサ装置を支持ビーム板の収納開口内に設置し、かつ、前記支持ビーム板と前記補聴器ハウジングとの相対的動きにより、前記トランスジューサ装置を、前記補聴器ハウジングの音出口を形成する補聴器端部から前記補聴器ハウジング内に挿入してなることを特徴とする請求項１３又は１４記載の方法。
【請求項１６】
前記支持ビーム板を、好ましくは溶接又は接着により、前記補聴器ハウジングに接合し、その後前記支持ビーム板を前記補聴器ハウジングの外形に沿って成形し、切離してなることを特徴とする請求項１５記載の方法。
【発明の詳細な説明】
【０００１】
本発明は、請求項１の導入部に記載された電気／音響トランスジューサ装置を有する耳内補聴器に関する。また、本発明は、請求項１０の導入部に記載された耳内補聴器の製造方法に関する。
【０００２】
耳内補聴器においては、汚れの問題、特に補聴器において鼓膜に対向する音出口部分における汚れの問題が知られている。この汚れは補聴器の効果を阻害するため、補聴器を定期的に洗浄することが必要となる。この洗浄の場合に、通常は電気／音響トランスジューサの音出口に連絡するように補聴器のハウジングに設けられた開口が大きな問題となる。
【０００３】
欧州特許ＥＰ０５４８５８０においては、耳内補聴器において、本来のスピーカダイヤフラムと同様にモータによるスピーカ駆動装置に接続されてハウジングを閉じるように設けられたダイヤフラムが開示される。しかしながら、これによれば補聴器の構造、特にスピーカ駆動装置に対するダイヤフラムの取付け手段及び洗浄時にダイヤフラムの損傷の防止を確保する手段が比較的複雑となる。
【０００４】
本発明は、上述の手段における問題点を解消するために、簡単な構造により洗浄の要件を完全に解決する耳内補聴器を提供することを課題とする。
【０００５】
この課題は、耳内補聴器において電気／音響トランスジューサ装置の音出口を、自由振動状態に取付けられたダイヤフラムによって補聴器の周辺から分離することによって達成される。
【０００６】
この際、補聴器における音響的有効空間及びダイヤフラム特性に関わる知見によれば、音響インピーダンスの適合に関して、このような自由振動状態のダイヤフラムは、補聴器におけるトランスジューサ出口側の音響伝達関係には実際上影響を与えない、即ち、ここに使用されるダイヤフラムは音響的に透明にできることが知られている。
【０００７】
必要のある場合には、このようなダイヤフラムにより所望の減衰を実現することも可能である。
【０００８】
本発明による耳内補聴器の１つの実施の形態において、ダイヤフラムの少くとも自由振動部分は、単一の、好ましくはゴム状弾性を有する、例えばラテックス又はシリコーンゴムのような材料で作られる。更に好ましくは、本発明において使用されるダイヤフラムは、その自由振動部分において一定の厚みを有する。
【０００９】
このようなダイヤフラムを用いることにより、補聴器の構成における形状の実質的増大は生じない。使用が好ましいダイヤフラム材料、例えばラテックス又はシリコーン、はコスト的に最高に有利であり、また、均一に薄く形成されても抵抗力が高く、かつ、人体組織との接触についても問題は生じない。
【００１０】
また本発明の１つの実施の形態においては、上述のダイヤフラムは補聴器の音出口の直接的領域に取付けられ、これにより補聴器において洗浄時に問題となる外形の凹部及び凹凸部は、少くとも補聴器の音出口の領域において解消される。また、トランスジューサ装置の音出口は、管状支持部材を介して補聴器ハウジングの音出口開口に連絡することができる。一方、別の実施の形態においては、電気／音響トランスジューサ装置の音出口は、補聴器ハウジングの音出口開口の領域に直接取付けられる。
【００１１】
更に補聴器の製造に関して最高に有利な本発明の実施の形態においては、補聴器の音出口開口は、補聴器ハウジングの端部に例えば溶接又は接着により接合された端部材のような板状部材で形成される。この時更に好ましくは、補聴器の音出口開口を閉じるダイヤフラムは、この板状部材と一体に形成され、又はこの板状部材に別部材として取付けられる。このダイヤフラムは必要に応じて袋状に形成され、補聴器ハウジングを通って挿入され、セットされる。
【００１２】
この板状部材がダイヤフラムと一体に形成される場合は、ダイヤフラムに要求される材料仕様はこの板状部材にも適用される。好ましくは、板状部材はゴム状弾性材料、例えばラテックス又はシリコーンによって作られる。
【００１３】
本発明による耳内補聴器の製造方法は、請求項１０に記載された特徴を有する。ここにおいて、トランスジューサ装置は、底部がダイヤフラムとして形成される支持ビーム板の袋状開口内に設置される。次いで、支持ビーム板と補聴器ハウジングとの相対的動きにより、トランスジューサ装置は補聴器ハウジングの音出口を形成する補聴器端部から補聴器ハウジング内に挿入される。次いで、支持ビーム板は、例えば溶接又は接着により補聴器ハウジングに接合され、更に補聴器ハウジングの外形に沿って成形され、切離される。
【００１４】
この製造方法は、耳内補聴器のハウジング、電気／音響トランスジューサ装置及びダイヤフラムの組立における自動化に特に適している。
【００１５】
本発明による補聴器製造方法に関わる好ましい実施の形態では、ダイヤフラムは支持ビーム板と一体に形成され、好ましくは支持ビーム板はゴム状弾性材料、例えばラテックス又はシリコーン、により作られる。又は薄層部材として形成されたダイヤフラムを貫通穴を有する支持ビーム板上に張付け、接合する。以上によって、上述の袋状開口が形成される。
【００１６】
耳内補聴器のハウジングと電気／音響トランスジューサの組立は、今まで通常手作業により行われてきたが、これは電気／音響トランスジューサ装置におけるスピーカと補聴器ハウジングとの間に音響的に作用するブリッジが形成され、これが直接的に音響信号のフィードバックを招来したり、又は周辺の耳の人体組織を介して補聴器入口側の音響／電気トランスジューサに伝わったりすることを回避する必要があるからである。即ち、上述のように手作業により、補聴器ハウジング内のトランスジューサ装置をその全面が補聴器ハウジングに触れないように挿入し、取付けるのが通常である。
【００１７】
本発明は、更なる効果として、必要な製造コストを大巾に減少させることを目的としている。これは、請求項１２に記載のように、トランスジューサ装置を補聴器ハウジング内に自動化により挿入することにより達成される。トランスジューサ装置を補聴器の上から、即ち補聴器ハウジング内を通って挿入し補聴器の音出口部分に取付ける従来の方法と比較して、本発明の製造方法に関わる実施の形態によれば、トランスジューサ装置は補聴器ハウジングの音出口を形成する開口を通って補聴器ハウジング内に挿入される。
【００１８】
更なる実施の形態においては、トランスジューサ装置は支持ビーム板における収納穴内に設置され、次いで支持ビーム板と補聴器ハウジングとの相対的な動きにより、トランスジューサ装置は、補聴器ハウジングの音出口を形成する補聴器端部から補聴器ハウジング内に挿入される。
【００１９】
更なる実施の形態では、次いで支持ビーム板は例えば溶接又は接着により補聴器ハウジングに接合される。その後支持ビーム板は補聴器ハウジングの外形に沿って成形し、切離しが行われる。トランスジューサ装置を支持ビーム板内に位置決めし、保持した場合、補聴器ハウジング内におけるトランスジューサ装置の位置は、補聴器ハウジングと支持ビーム板との間の正確な案内の動きが問題となるのみであるが、本発明による手段は、上述のように、組立の自動化には理想的である。
【００２０】
以下、本発明を添付の図面により説明する。
【００２１】
図１は、本発明の耳内補聴器に適用可能なトランスジューサモジュールにおける音響的連絡関係の原理を説明する略式図である。トランスジューサモジュール１はスピーカハウジング３を内蔵しており、このスピーカハウジング３の内部にはスピーカダイヤフラム５が設けられている。スピーカダイヤフラム５は、略式に示したモータによる駆動装置７によって起振される。スピーカハウジング３内では、スピーカダイヤフラム５によって前方側の部屋Ｒ１ と後方側の部屋Ｒ２ が形成されている。これらの２つの部屋の一方、例えば後方側の部屋Ｒ２ は、音響連絡開口９を介して、スピーカハウジング３とカプセルハウジング１３の間に形成される中間スペース１１に音響的に連絡している。カプセルハウジング１３とその内部の中間スペース１１は、弾性支持部材１５の部分を除き、スピーカハウジング３を実質的に全面で取囲んでおり、これによって、弾性支持部材１５は、スピーカハウジング３をカプセルハウジング１３内に離隔させて、実質的に遊泳状態で支持している。図１に示すように、前方側の部屋Ｒ１ はトランスジューサモジュール１の音出口ＡＡ に連絡されている。
【００２２】
このような構成において、スピーカハウジング３をカプセルハウジング１３内に実質的に遊泳状態に支持することにより、スピーカ効果のカプセルハウジング１３からの音響的分離が達成される。更に、後方側の部屋Ｒ２ は、中間スペース１１を含むことによって大巾に拡張されるので、トランスジューサモジュール１の音響特性は、ハウジング３内部にスピーカ配置を行う場合に比較して大巾に改善される。即ち、トランスジューサモジュール１の低周波特性は、ハウジング３内部にスピーカ配置を行う場合に比較して数ｄＢ拡大される。
【００２３】
図１のトランスジューサモジュール１の例では、符号１７で示すモジュールダイヤフラムが音出口ＡＡ の部分に設けられている。モジュールダイヤフラム１７は、その周辺部を固定された以外は自由振動状態に取付けられている。このダイヤフラム１７は、均質な、好ましくはゴム状弾性材、例えば、ラテックス又はシリコーンゴムで作られ、更に好ましくは、約１００μｍ、最大０．０９ｍｍの一定の厚みを有する。
【００２４】
中間スペース１１を含む後方側の部屋Ｒ２ 、モジュールダイヤフラム１７に至る前方側の部屋Ｒ１ 、モジュールダイヤフラム１７及びトランスジューサモジュール１の周辺Ｕに向う更なる拡がりのために時に設けられる音響導体の音響インピーダンスを適合させることによって、モジュールダイヤフラム１７の実際的な音響伝達効果が達成される。
【００２５】
図２（ａ）は、トランスジューサモジュール１の一実施の形態の断面を示す。既に図１の略式図の説明に用いられた引用符号と同じものが使用される。連絡開口９を有するスピーカハウジング３は、弾性支持部材１９を介してカプセルハウジング１３に支持されている。カプセルハウジング１３は、カップ状部材２０として形成され、同時に好ましくは磁気遮蔽材として機能し、このため、好ましくはμ金属で作られる。いずれの場合でも、カップ状部材２０は金属製であることが好ましい。カップ状部材２０の先端には端部材２２が取付けられる。
【００２６】
図１で説明したモジュールダイヤフラム１７は、ここでは端部材２２に直接取付けられる。端部材２２とモジュールダイヤフラム１７は完全に一体に形成することができるが、一方、この場合には、端部材２２の材料は、ダイヤフラムの材料の要件、例えば弾性、を満足させるものでなければならない。例としては、端部材２２の全体がラテックス又はシリコーンゴムで作られる。又は、モジュールダイヤフラム１７を別部材として、端部材２２に固定させる。モジュールダイヤフラム１７はまた、スピーカハウジング３における音出口Ａ３ と端部材２２における内方に向う開口との間に設けることもできる。
【００２７】
好ましくは、モジュールダイヤフラム１７は、図２（ａ）に示したように、端部材２２の内方に向う開口と同一外面をなすように設け、これによってトランスジューサモジュール１全体が密閉されカプセル化された一体物として形成され、そのまゝ洗浄可能とする。この事は、以下に述べるように、トランスジューサモジュール１の音出口ＡＡ が補聴器の音出口に直接取付けられる場合に、特に重要である。
【００２８】
トランスジューサモジュール１、ないしは、カプセルハウジング１３は、立方体、円筒体又はその他の実質的に任意の形状とすることができるが、この場合、スピーカハウジング３とカプセルハウジング１３との間に実質的にスピーカハウジング３を取囲む中間スペース１１が形成されることが必要である。図２（ｂ）は、図２（ａ）の実施の形態とは別の実施の形態を示す略式図であり、こゝにおいて、弾性袋状部材１７ａがカプセルハウジング１３を被うように取付けられている。この袋状部材１７ａは同時に端部材２２及びモジュールダイヤフラム１７の機能を有している。
【００２９】
図３は、音出口開口Ａ２４を有する耳内補聴器２４に関わる実施の形態の略式断面図である。装置ハウジング２６の内部には、図１、図２（ａ）又は（ｂ）のように構成されたトランスジューサモジュール１が組込まれている。即ち、トランスジューサモジュール１は、補聴器の装置ハウジング２６内で、保持及び位置決め用留め板２８によって、留め具固定又は留め力固定により保持され、位置決めされている。このような配置により、図１、図２（ａ）又は（ｂ）に示されたトランスジューサモジュール１において、スピーカハウジング３に対する外側のカプセルハウジング１３の音響分離の実現が可能となる。
【００３０】
図３に示した耳内補聴器におけるトランスジューサモジュール１の配置は実質的に既知である一方、トランスジューサモジュール１の音出口は、管状支持部材３０を介して装置の音出口開口Ａ２４に連絡されている。
【００３１】
耳内補聴器２４における電子部品及びハウジング２６に連なる入口側音響／電気トランスジューサ装置は、本発明に関係しないため、図３他において特に示していない。
【００３２】
更に図３に示すように、モジュールダイヤフラム１７は補聴器ハウジング２６の音出口開口Ａ２４の直接的領域を囲んで取付けられている。
【００３３】
図４においては、トランスジューサモジュール１は、補聴器２４ないしはハウジング２６の音出口開口Ａ２４の直接的領域に、留め部材２８ａによって留め具固定又は留め力固定により取付けられている。この実施の形態において、モジュールダイヤフラム１７はモジュール端部に振動可能に取付けられている。
【００３４】
図５においては、耳内補聴器２４のハウジング２６の主要部２４ａの端に板状の端部材２４ｂが接着又は溶接により取付けられている。図５において共に符号３０によって示された、図１及び図２におけるようなトランスジューサモジュール１又は既知のスピーカ装置におけるスピーカハウジングは、端部材２４ｂの出口開口３２内にはまるように配され、そこに固定、接着等により保持される。図５において総じて符号３０で示したトランスジューサモジュール１において、図１、図２（ａ）又は（ｂ）で示した如きカプセルハウジングが設けられている場合は、このようなトランスジューサモジュール１のために符号２８で示したような位置決め及び固定部材を装置ハウジング２６内に設けることができる。
【００３５】
また、図５に示した実施の形態では、モジュールダイヤフラム１７は端部材２４ｂの先端に取付けられている。このようなダイヤフラム１７の構成は、図１、図２（ａ）又は（ｂ）に示したトランスジューサモジュールを有する補聴器にも、また既知のトランスジューサ装置、即ち、スピーカハウジングを直接外側に有するトランスジューサ装置を備えた補聴器にも適用することができ、有利である。更に、ダイヤフラム１７は、端部材２４ｂと一体に形成することができる。これは、端部材２４ｂがハウジング２６とは別体となっているため、端部材２４ｂの材料選定をダイヤフラム１７の要件に合致したものとすることができるからである。
【００３６】
図６（ａ）〜（ｃ）には、耳内補聴器を製造する好ましい方法が示されている。
【００３７】
図６（ａ）において、支持ビーム板３４内に収納穴３６が設けられ、この収納穴３６は好ましくは袋状開口となっている。この収納穴３６内に耳内補聴器用トランスジューサ装置３０が挿入される。このトランスジューサ装置３０が従来のもの、即ち、スピーカハウジングが外面にあって図１、図２（ａ）又は（ｂ）に示したようなカプセルハウジングを有しないものである場合は、トランスジューサ装置３０は支持ビーム板３４内に、例えば接着により、しっかりと固定することが好ましい。トランスジューサ装置３０が図１、図２（ａ）又は（ｂ）に示したようなカプセルハウジングを外面に有するものである場合は、このトランスジューサ装置３０は支持ビーム板３４内にしっかりと保持する必要はない。というのは、このトランスジューサ装置３０は図６（ａ）において装置ハウジング２４ａ内の破線部分２８ｂにより留め具固定又は留め力固定されて保持されるからである。製造方法の手順としては、先ず、トランスジューサ装置３０を有する支持ビーム板３４と対応する数のハウジング部分２４ａとの相対的な動きにより、トランスジューサ装置３０を、従来のように上方ｏからでなく、下方から、ハウジング部材２４ａの音開口部分内に挿入する。
【００３８】
トランスジューサ装置３０がカプセルハウジングを備えている場合は、トランスジューサ装置３０を保持しハウジング２６内に挿入した後、支持ビーム板３４を移動させて、トランスジューサ装置ないしはトランスジューサモジュールをハウジング２４ａ内に保持し所定位置にセットする。トランスジューサ装置がカプセルハウジングを有しないものである場合は、トランスジューサ装置３０は、支持ビーム板３４内にトランスジューサを収納する収納穴３６内にとゞまっている。支持ビーム板３４は、例えば接着又は溶接により、ハウジング２４ａに接合される。こうして、図６（ｂ）の状態に続いて図６（ｃ）に示したように、支持ビーム板３４はハウジングの外形に滑らかに連なるように加工される。
【００３９】
こうして、図５に示したような耳内補聴器が完成する。また、図１、図２（ａ）又は（ｂ）に示したカプセルハウジングを有するトランスジューサモジュールの場合も、この方法を実施することができる。
【００４０】
更に、図６の説明から明らかなように、この方法は、装置の音出口の汚れを受けず、かつ、容易な洗浄を可能とするのに適したダイヤフラム１７又はその他のダイヤフラムを形成することにも特に適している。このために、図６（ａ）において袋状開口として形成される収納穴３６の下方の底板部分がそのまゝダイヤフラムとして形成される。これは、支持ビーム板３４の材料がダイヤフラム材料の要件に合致して選定され、かつ、それによってダイヤフラムが支持ビーム板３４と一体に形成される場合、又は、図６（ａ）の支持ビーム板３４における破線で示したように、袋状開口３６が先ず支持ビーム板３４の層３４ａを貫通して開口３６を形成し、次いで、シート状の薄層３４ｂが取付けられて、図５に示した如きモジュールダイヤフラム１７が形成される場合に適用される。
【００４１】
以上のような製造方法により、細かな位置決め作業を要することなく、図１、図２（ａ）又は（ｂ）によるトランスジューサモジュール、並びに、従来の、即ち、スピーカハウジングを外部に有する耳内補聴器のトランスジューサ装置を組立てることが可能となる。この組立作業はハウジングの音出口のある側から行うことができるので、組立作業を最高度に自動化することができる。補聴器の音出口は周囲の環境からの汚れを回避し、かつ、容易な洗浄を可能とするように形成される一方、同時に、上述のように底板部分を使用したモジュールダイヤフラム１７の形成が可能となる。
【図面の簡単な説明】
【図１】
モジュールとして形成されたトランスジューサ装置の一例を示す略式図。
【図２】
（ａ）は図１の例によるトランスジューサ装置に関わる一実施の形態を示す長手方向断面図であり、（ｂ）は本発明のダイヤフラムを有するトランスジューサ装置に関わる別の実施の形態を示す略式図。
【図３】
本発明のダイヤフラムを有する耳内補聴器におけるトランスジューサ装置の取付を示す別の実施の形態を示す略式断面図。
【図４】
本発明のダイヤフラムを有する耳内補聴器におけるトランスジューサ装置の取付を示す更に別の実施の形態を示す略式断面図。
【図５】
本発明のダイヤフラムを有する耳内補聴器におけるトランスジューサ装置の取付を示す更に別の実施の形態を示す略式断面図。
【図６】
（ａ）〜（ｃ）は、それぞれ本発明の耳内補聴器製造方法において、トランスジューサ装置を補聴器ハウジング内に組立てる工程を説明する略式図。
【図１】
2004500734.tif 000003
【図２】
2004500734.tif 000004
【図３】
2004500734.tif 000005
【図４】
2004500734.tif 000006
【図５】
2004500734.tif 000007
【図６】
2004500734.tif 000008
【国際公開パンフレット】
2004500734.tif 000009
2004500734.tif 000010
2004500734.tif 000011
2004500734.tif 000012
2004500734.tif 000013
2004500734.tif 000014
2004500734.tif 000015
2004500734.tif 000016
2004500734.tif 000017
2004500734.tif 000018
2004500734.tif 000019
2004500734.tif 000020
2004500734.tif 000021
2004500734.tif 000022
2004500734.tif 000023
2004500734.tif 000024
2004500734.tif 000025
2004500734.tif 000026
2004500734.tif 000027
2004500734.tif 000028
2004500734.tif 000029
【国際公開パンフレット（コレクトバージョン）】
2004500734.tif 000030
2004500734.tif 000031
2004500734.tif 000032
2004500734.tif 000033
2004500734.tif 000034
2004500734.tif 000035
2004500734.tif 000036
2004500734.tif 000037
2004500734.tif 000038
2004500734.tif 000039
2004500734.tif 000040
2004500734.tif 000041
2004500734.tif 000042
2004500734.tif 000043
2004500734.tif 000044
2004500734.tif 000045
2004500734.tif 000046
2004500734.tif 000047
2004500734.tif 000048
2004500734.tif 000049
【国際公開パンフレット（コレクトバージョン）】
2004500734.tif 000050
2004500734.tif 000051
【手続補正書】
【提出日】平成14年3月27日(2002.3.27)
【手続補正１】
【補正対象書類名】明細書
【補正対象項目名】請求項１
【補正方法】変更
【補正の内容】
【請求項１】
電気／音響トランスジューサ装置を有する耳内補聴器であって、前記トランスジューサ装置の音出口は前記補聴器のハウジングにおける音出口開口に音響的に連絡されてなり、かつ、前記トランスジューサ装置の音出口は、自由振動状態に取付けられたダイヤフラムにより前記補聴器の周辺から分離されてなるものにおいて、前記ダイヤフラムはゴム状弾性材料で作られてなることを特徴とする耳内補聴器。
【国際調査報告】
2004500734.tif 000052
2004500734.tif 000053
2004500734.tif 000054
2004500734.tif 000055
2004500734.tif 000056
2004500734.tif 000057